(57)【要約】【課題】  開示するゴルフスイング練習具は、製造が容易であることに加え、スイング中のゴルフクラブの動きを練習者が感じ取り易い。【解決手段】  開示するゴルフスイング練習具の一形態は、ゴルフのスイングを矯正するゴルフスイング練習具であって、ゴルフクラブの長さとほぼ同じ長さを備えるシャフトと、前記シャフトの一端側外周に装着されるグリップと、前記シャフトの他端側に装着される重り機構と、を有し、前記重り機構が、前記シャフトに沿って摺動可能な重りと、該重りに対し前記シャフトの一端側方向の力を加える弾性体と、を有することを特徴とする。【選択図】図１
2012205640.tif 000002
【特許請求の範囲】
【請求項１】
ゴルフのスイングを矯正するゴルフスイング練習具であって、
ゴルフクラブの長さとほぼ同じ長さを備えるシャフトと、
前記シャフトの一端側外周に装着されるグリップと、
前記シャフトの他端側に装着される重り機構と、を有し、
前記重り機構が、前記シャフトに沿って摺動可能な重りと、該重りに対し前記シャフトの一端側方向の力を加える弾性体と、を有することを特徴とするゴルフスイング練習具。
【請求項２】
前記シャフトの他端側が、曲がった形状であり、
前記重り機構が、前記曲がった形状部分に装着されていることを特徴とする請求項１に記載のゴルフスイング練習具。
【請求項３】
当該ゴルフスイング練習具使用者の両肘部分それぞれに装着する２つのバンドを有し、
前記２つのバンドが、第１の紐状機構によって接続され、
前記第１の紐状機構が、第２の紐状機構によって、前記重りと接続されることを特徴とする請求項１又は２に記載のゴルフスイング練習具。
【請求項４】
当該ゴルフスイング練習具使用者が前記グリップを握り、該使用者の前位置に当該ゴルフスイング練習具を配置したとき、前記重り機構の前記曲がった形状が、該使用者の外側方向に曲がっていることを特徴とする請求項２又は３に記載のゴルフスイング練習具。
【請求項５】
前記グリップが、ゴルフクラブの適正な握り方に矯正する形状であることを特徴とする請求項１乃至４の何れか一に記載のゴルフスイング練習具。
【発明の詳細な説明】
【技術分野】
【０００１】
本発明は、ゴルフのスイング、特に、スライスボールを多く打つゴルファーのスイングを矯正する練習具の技術に関する。
【背景技術】
【０００２】
従来、ゴルフスイングを正しいスイングアークに導くための重心移動型の練習具として、下記の特許文献１に示すようなものが知られている。
【０００３】
特許文献１には、ゴルフクラブの長さにほぼ匹敵する長さを有し、基端部外周面にグリップ被覆が装着されたパイプシャフトと、該パイプシャフト内の基端部側に伸縮作動自在に装填された締りコイルばねからなる所定長の伸長ばねと、前記パイプシャフト内の先端部側に伸縮作動自在に装填された開きコイルばねからなる所定長の圧縮ばねとを備え、前記伸長ばねと圧縮ばねが、相互の一端を連接した直列配列状態において、前記パイプシャフト内にその全長に亘って装填されたものとなされており、かつ、少なくとも前記伸長ばねの一端が、パイプシャフトの基端側に接結固定されてなることを特徴とするゴルフスイング練習具が記載されている。
つまり、上記技術は、スイング中のクラブの動きを、伸長ばね・圧縮ばねの重心の移動によって、スイングを行っている本人にフィードバックする技術である。
【先行技術文献】
【特許文献】
【０００４】
【特許文献１】特開２００７−２７５１６７号公報
【発明の概要】
【発明が解決しようとする課題】
【０００５】
しかしながら、上記技術においては、伸長ばね・圧縮ばねをスイング練習具の内側に配置するため、当該練習具の製造工程が複雑になるという問題が有った。
【０００６】
また、上記技術においては、伸長ばね・圧縮ばねがシャフト全体に配置されているため、スイング中のクラブの動きを伝える「重心の移動」がスイング練習者に伝わり難いというという問題が有った。
【０００７】
そこで、本発明では、上記問題点に鑑み、製造が容易であることに加え、スイング中のゴルフクラブの動きを練習者が感じ取り易いゴルフスイング練習具を提供することを目的とする。
【課題を解決するための手段】
【０００８】
開示するゴルフスイング練習具は、シャフト先端側に、可動式の重りと当該重りをシャフト基端側方向に抑える弾性体とを含む重り機構を備える。そのため、練習者が当該練習具をスイングするとき、当該重りがスイングスピードに応じて発生する遠心力の大きさに対応した分だけシャフト先端側に移動する。そして、当該移動量の大きさに従い慣性モーメントが増大し、その慣性力によりシャフトの動いて行く方向が自然に決定されるため、ゴルフクラブの軌道を適切なスイングプレーンに乗せてスイングすることができる。なお、１回のスイングにおける各段階のスイングスピードは一定ではないため、スイング中でも重りの移動量・慣性力の大きさなどは変化する。ここで、弾性体は、ばねであっても、ゴムであっても良い。
【０００９】
また、開示するゴルフスイング練習具は、シャフト先端側が曲がった形状をしており、その曲がった形状部分に前記重り機構を備える。そのため、スイングスピードが最も早くなるインパクト時に、重りが練習者より最も離れた位置へ移動することになる。そして、当該重りがシャフトを捻じる方向の慣性力を発生させるため、当該練習者のリストの返しをスムーズに行わせることができる。これにより、スライスボールを多く打つゴルファーのスイングを適切に矯正することができる。
【００１０】
さらに、開示するゴルフスイング練習具は、練習者の両肘部分に装着する腕バンドと、当該腕バンドを結び付ける第１の紐と、当該第１の紐と重りとを結び付ける第２の紐とを備える。そのため、シャフト上の重りの移動に伴い、第２の紐を介して第１の紐が引っ張られ、練習者の両肘の間隔を狭めさせる。つまり、両肘の開きが問題になるダウンスイング時に、その両肘の間隔をスイングスピードに応じて閉じさせるのである。なお、第２の紐は、シャフト内部に通し、シャフト内部で重りに係止する機構を設けることが好適である。
【００１１】
なお、上記効果を得るため、シャフト先端側の曲がった形状は、練習者から離れる方向（練習者の前方方向）に曲がっていることが好適である。また、シャフトに装着するグリップがゴルフクラブの握り方を矯正する形状であり、練習者が当該グリップを握って練習具を自身の正面に構えるとき、シャフト先端側の曲がった形状は、練習者から離れる方向（練習者の前方方向）に曲がっていることが好適である。
【発明の効果】
【００１２】
開示するゴルフスイング練習具は、製造が容易であることに加え、スイング中のゴルフクラブの動きを練習者が感じ取り易い。
【図面の簡単な説明】
【００１３】
【図１】本実施の形態に係るゴルフスイング練習具の全体を表す図である。
【図２】本実施の形態に係るゴルフスイング練習具の先端部の詳細（その１）を表す図である。
【図３】本実施の形態に係るゴルフスイング練習具の先端部の詳細（その２）を表す図である。
【図４】本実施の形態に係るゴルフスイング練習具の先端部の詳細（その３）を表す図である。
【図５】本実施の形態に係るゴルフスイング練習具の先端部の詳細（その４）を表す図である。
【図６】本実施の形態に係るゴルフスイング練習具が備えるシャフトの断面（横方向）を表す図である。
【図７】本実施の形態に係るゴルフスイング練習具の使用状態を表す図である。
【発明を実施するための形態】
【００１４】
図面を参照しながら、本発明を実施するための形態について説明する。
（ゴルフスイング練習具の構造）
【００１５】
図１を用いて、本実施の形態に係るゴルフスイング練習具１について説明する。図１は、ゴルフスイング練習具１の全体図である。図１で示すように、ゴルフスイング練習具（以下、単に「練習具」という。）１は、バンド３、第１の紐状機構５、第２の紐状機構７、シャフト９、ストッパー１３、重り１５、弾性体１９を有する。
ハンド３は、２つあり、それぞれを練習具１使用者の肘部分に装着して使用する。
【００１６】
第１の紐状機構５は、２つのバンド３を接続する紐状の機構であり、多少の収縮性を備えていても良いが、基本的には固定長のものが好適である。また、第１の紐状機構５は、練習具１使用者の体格などに合わせて、長さを調節できる機能を備えていても良い。
【００１７】
第２の紐状機構７は、一端が第１の紐状機構５のほぼ中央部に接続される。また、第２の紐状機構７の他端は、重り１５と接続されている。第２の紐状機構７は、多少の収縮性を備えていても良いが、基本的には固定長のものが好適である。また、第２の紐状機構７は、練習具１使用者の体格などに合わせて、長さを調節できる機能を備えていても良い。なお、第１の紐状機構５及び第２の紐状機構７は、一体となっている形態でも良い。
【００１８】
シャフト９は、ゴルフクラブとほぼ同程度の長さを備えている。また、シャフト９は、第２の紐状機構７を内部に通すため、中空構造であることが好適である。さらに、シャフト９は、基端側１１にグリップを装着しても良く、当該グリップは、ゴルフクラブの握り方を矯正する形状であっても良い。
【００１９】
ストッパー１３は、シャフト９の先端側１７に装着され、主として、弾性体１９をシャフト９に固定させるために利用する。ただし、ストッパー１３は、その他の用途に用いることを妨げられない。
【００２０】
重り１５は、シャフト９の先端側１７に、シャフト９に沿って摺動可能に装着される。重り１５の外形は、リング形状、ボール形状、またはその他種々の形状であっても良いが、重り１５の中央部にシャフト９を通す穴を貫通させた形状が好適である。また、重り１５は、その重さを練習具１使用者の体格等によって変更することができる。
【００２１】
弾性体１９は、重り１５に接続され、重り１５に対しシャフト９の先端側１７から基端側１１方向へ弾性力を作用させる。弾性体１９は、ばね、ゴムなどを想定しているが、重り１５に対しシャフト９の先端側１７から基端側１１方向へ力を作用させるものであれば、これらに限定されない。なお、弾性体１９は、練習具１を使用者がスイングするとき、重り１５に働く遠心力を受け、当該遠心力の大きさに応じて収縮（又は伸長）する。
【００２２】
ここで、図２及び３を用いて、シャフト先端側１７の詳細を説明する。図２で示すように、弾性体１９は、重り１５に対しシャフト先端側１７から接続する形態であっても良く、図３で示すように、重り１５に対しシャフト基端側１１から接続する形態であっても良い。また、図示しないが、弾性体１９は、シャフト基端側１１・先端側１７両方から接続する形態であっても良い。
【００２３】
また、シャフト９の先端側１７は、曲がった形状であっても良く、その場合、重り１５及び弾性体１９を含む重り機構は、当該曲がった形状部分に装着される。また、シャフト９に装着するグリップがゴルフクラブの握り方を矯正する形状であり、練習具１使用者が当該グリップを握って練習具１を自身の正面で構えるとき、シャフト先端側１７の曲がった形状は、当該使用者から離れる方向（使用者の前方方向）に曲がっていることが好適である。
【００２４】
ここで、図４及び５を用いて、シャフト先端側１７が曲がった形状である場合の当形状部分の詳細を説明する。図４で示すように、弾性体１９は、重り１５に対しシャフト先端側１７から接続する形態であっても良く、図５で示すように、重り１５に対しシャフト基端側１１から接続する形態であっても良い。また、図示しないが、弾性体１９は、シャフト基端側１１・先端側１７両方から接続する形態であっても良い。
【００２５】
図６を用いて、重り１５と第２の紐状機構７との接続方法について説明する。図６は、シャフト９の横方向の断面図である。図６で示すように、シャフト９先端側１７の両端に所定長のスリットが設けられ、当該スリットに第２の紐状機構７を係止するための係止機構２１が挿通されている。また、係止機構２１は、重り１５の内側に設けられている。そして、シャフト９内を通された第２の紐状機構７が係止機構２１に係止されることによって、第２の紐状機構７と重り１５が接続される。ただし、第２の紐状機構７をシャフト９内部に通さず、シャフト９の外側で、第２の紐状機構７と重り１５とが接続される形態とすることを妨げる理由は無い。
（ゴルフスイング練習具の使用方法）
【００２６】
図７を用いて、ゴルフスイング練習具１の使用方法について説明する。図７は、ゴルフスイング練習具１の使用方法を説明するための図である。図７で示すように、使用者は、バンド３をそれぞれの肘に装着する。その前段階として、使用者は、自身の体格、力の大きさなどを考慮し、第１の紐状機構５及び第２の紐状機構７の長さ、重り１５の重さ、弾性体１９の弾性力の大きさを適宜調整することができる。
【００２７】
バンド３を両肘に装着した使用者は、ゴルフスイング練習具１のグリップを握り、ゴルフのスイング練習（素振り）を行う。そうすることで、スイングスピードに応じ重りがシャフト先端側１７に移動することにより、第２の紐状機構７及び第１の紐状機構５を介してバンド３の幅が狭くなり、スイング中の使用者の両肘は閉じられる。
【００２８】
また、スイングスピードに応じ重りがシャフト先端側１７に移動すると共に、当該移動量の大きさに従い慣性モーメントが増大し、その慣性力によりシャフトの動いて行く方向が自然に決定されるため、ゴルフクラブの軌道を適切なスイングプレーンに乗せてスイングすることができる。
【００２９】
さらに、図４又は５で示すように、ゴルフスイング練習具１のシャフト先端側１７が曲がった形状をしている場合、スイングスピードが最も早くなるインパクト時に重り１５が使用者より最も離れた位置に移動し、当該重り１５がシャフト９を捻じる方向の慣性力を発生させるため、当該使用者のリストの返しをスムーズに行わせることができる。これにより、スライスボールを多く打つゴルファーのスイングを適切に矯正することができる。
（総括）
【００３０】
開示のゴルフスイング練習具１は、シャフト９先端側１７が折れ曲がり、先端側１７に装着される重り１５がスイング途中の遠心力で回転し、手首の返しを容易にすることができる。これによって、ゴルフ初心者に多く見られるリストの返し不足によるスライスボールを減らすようにスイングを矯正することができる。
【００３１】
開示のゴルフスイング練習具１は、ダウンスイングと共に、重り１５が先端側１７に徐々に移動するため、両肘に装着したバンド３が内側に引っ張られ、スイング中に両肘が外側に開くことを防ぐ。これによって、インパクト時における両肘の開きが解消され、ヘッドスピードを上げるようにスイングを矯正することができる。
【００３２】
開示のゴルフスイング練習具１は、リストの返しと両肘の開きが同時に解消され、ボールの飛距離を伸ばすようにスイングを矯正することができる。なお、ダウンスイング時において両肘が閉じ、インパクト時においてリストが返ると、必然的にヘッドスピードが上がり、ボールの飛距離が伸びる。
【００３３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３４】
１    ゴルフスイング練習具
３    バンド（腕輪）：２つ
５    第１の紐状機構
７    第２の紐状機構
９    シャフト
１１  シャフトの一端部（シャフト基端部）
１３  ストッパー
１５  重り
１７  シャフトの他端部（シャフト先端部）
１９  弾性体（ばね、ゴムなど）
２１  第２の紐状機構を係止する部分
【図１】
2012205640.tif 000003
【図２】
2012205640.tif 000004
【図３】
2012205640.tif 000005
【図４】
2012205640.tif 000006
【図５】
2012205640.tif 000007
【図６】
2012205640.tif 000008
【図７】
2012205640.tif 000009